(57)【要約】【課題】表示装置に搭載された接続インターフェースが実行できる機能と、電子機器に接続された外部機器に搭載された接続インターフェースが実行できる機能と、が異なる場合でも、実行する機能が制限されない表示装置を提供する。【解決手段】表示装置は、表示装置に接続され、表示装置と特定の信号方式によって通信する第１の送受信部を有する外部機器から、外部機器が実行可能な機能に関わる情報を受信する第２の送受信部と；第２の送受信部が実行可能な機能に関わる情報を記憶する情報記憶部と；第２の送受信部が実行可能な機能と、第１の送受信部が実行可能な機能と、の差である機能差を特定する機能差特定部と；特定された機能差がある場合には、機能差を示す情報を報知する報知部と、を備える。【選択図】図２
2016134704.tif 000002
【特許請求の範囲】
【請求項１】
表示装置であって、
前記表示装置に接続され、前記表示装置と特定の信号方式によって通信する第１の送受信部を有する外部機器から、前記外部機器が実行可能な機能に関わる情報を受信する第２の送受信部と、
前記第２の送受信部が実行可能な機能に関わる情報を記憶する情報記憶部と、
前記第２の送受信部が実行可能な機能と、前記第１の送受信部が実行可能な機能と、の差である機能差を特定する機能差特定部と、
特定された前記機能差がある場合には、前記機能差を示す情報を報知する報知部と、を備える、表示装置。
【請求項２】
請求項１に記載の表示装置であって、
前記報知部は、前記機能差を示す情報として、前記機能差に基づいて決定される前記第２の送受信部が実行可能な機能を報知する、表示装置。
【請求項３】
請求項１または請求項２に記載の表示装置であって、さらに、
第１の情報処理装置と通信を行なう第１の通信部を備え、
前記報知部は、前記第１の通信部を介して、前記機能差を示す情報を前記第１の情報処理装置へと送信する、表示装置。
【請求項４】
請求項１から請求項３までのいずれか一項に記載の表示装置であって、さらに、
第２の情報処理装置と通信を行なう第２の通信部と、
前記機能差がある場合、または、前記第２の送受信部が実行可能な機能に対応付けられたファームウェアのバージョン情報と前記第２の送受信部の前記バージョン情報との少なくとも一方が、前記第２の通信部を介した前記特定の信号方式によって送受信される最新の前記バージョン情報と異なる場合には、前記第２の送受信部の前記バージョン情報と前記第１の送受信部の前記バージョン情報との少なくとも一方を、更新する制御部と、を備える、表示装置。
【請求項５】
請求項１から請求項４までのいずれか一項に記載の表示装置であって、
前記報知部は、接続された前記第１の送受信部が実行可能な機能に対応付けられたバージョン情報の更新を促す情報を報知する、表示装置。
【請求項６】
請求項１から請求項５までのいずれか一項に記載の表示装置であって、さらに、
画像を投写表示する第１の表示部を備え、
前記機能差を示す情報は、前記第１の表示部に表示される前記第２の送受信部と前記第１の送受信部との少なくとも一方が実行不可能な機能を示す画像と、前記第１の表示部に表示される前記第２の送受信部と前記第１の送受信部との両方が実行可能な機能を示す画像と、の少なくとも一方である、表示装置。
【請求項７】
請求項６に記載の表示装置であって、さらに、
前記表示装置に形成された特定の領域に画像を表示する前記第１の表示部とは異なる第２の表示部を有し、
前記機能差を示す情報は、前記第２の表示部に表示される、表示装置。
【請求項８】
請求項１から請求項７までのいずれか一項に記載の表示装置であって、さらに、
前記情報記憶部に記憶された前記第２の送受信部が実行可能な機能に基づいて、前記第２の送受信部が実行する機能を設定する制御部を備える、表示装置。
【請求項９】
請求項１から請求項８までのいずれか一項に記載の表示装置であって、さらに、
前記第２の送受信部が実行する機能を設定するための設定画像を表示させる制御部を備える、表示装置。
【請求項１０】
請求項１から請求項９までのいずれか一項に記載の表示装置であって、
前記情報記憶部は、前記表示装置に接続される複数の前記第１の送受信部が実行可能な機能を記憶する、表示装置。
【請求項１１】
接続された外部機器が有する第１の送受信部と特定の信号方式によって通信する第２の送受信部と、前記第２の送受信部が実行可能な機能に関わる情報を記憶する情報記憶部と、を有する表示装置の制御方法であって、
前記第２の送受信部は、前記第１の送受信部から、接続された前記第１の送受信部が実行可能な機能に関わる情報を受信する工程と、
前記第２の送受信部が実行可能な機能と、前記第１の送受信部が実行可能な機能と、の差である機能差を特定する工程と、
特定された前記機能差がある場合には、前記機能差を示す情報を報知する工程と、を備える、制御方法。
【発明の詳細な説明】
【技術分野】
【０００１】
本発明は、表示装置の技術に関する。
【背景技術】
【０００２】
従来では、特許文献１に記載されているように、ＨＤＭＩ（High-Definitio  Multimedia  Interface：登録商標）によって、外部機器と接続可能で、接続した外部機器の識別情報を記憶する電子機器が知られている。この電子機器は、外部機器が接続されると、接続された外部機器から出力された外部機器の識別情報と、記憶していた外部機器の識別情報とを比較することで、接続された外部機器を特定する。
【先行技術文献】
【特許文献】
【０００３】
【特許文献１】特開２０１４−７６１５号公報
【発明の概要】
【発明が解決しようとする課題】
【０００４】
しかし、特許文献１に記載された技術では、電子機器に接続された外部機器を特定できるものの、電子機器に搭載された接続インターフェースが実行できる機能と、電子機器に接続された外部機器に搭載された接続インターフェースが実行できる機能と、が異なる場合に、電子機器側の接続インターフェースまたは接続された外部機器側の接続インターフェースが実行する機能が制限される場合があった。また、そのほか、従来の表示装置では、使い勝手の向上等が望まれていた。
【課題を解決するための手段】
【０００５】
本発明は、上述の課題の少なくとも一部を解決するためになされたものであり、以下の形態として実現することが可能である。
【０００６】
（１）本発明の一形態によれば、表示装置が提供される。この表示装置は、前記表示装置に接続され、前記表示装置と特定の信号方式によって通信する第１の送受信部を有する外部機器から、前記外部機器が実行可能な機能に関わる情報を受信する第２の送受信部と；前記第２の送受信部が実行可能な機能に関わる情報を記憶する情報記憶部と；前記第２の送受信部が実行可能な機能と、前記第１の送受信部が実行可能な機能と、の差である機能差を特定する機能差特定部と；特定された前記機能差がある場合には、前記機能差を示す情報を報知する報知部と、を備える。この形態の表示装置によれば、第１の送受信部が実行可能な機能と第２の送受信部が実行可能な機能とが異なり、表示装置が実行可能な機能が制限される場合に、機能が制限されることをユーザーに認識させることができ、表示装置の利便性が向上する。
【０００７】
（２）上記形態の表示装置において、前記報知部は、前記機能差を示す情報として、前記機能差に基づいて決定される前記第２の送受信部が実行可能な機能を報知してもよい。この形態の表示装置によれば、ユーザーは、第１の送受信部が実行可能な機能と第２の送受信部が実行可能な機能との差に基づいて制限される表示装置の機能を認識できるため、表示装置の利便性がさらに向上する。
【０００８】
（３）上記形態の表示装置において、さらに；第１の情報処理装置と通信を行なう第１の通信部を備え；前記報知部は、前記第１の通信部を介して、前記機能差を示す情報を前記第１の情報処理装置へと送信してもよい。この形態の表示装置によれば、第１の送受信部が実行可能な機能と第２の送受信部が実行可能な機能との相違を、表示装置のユーザー以外にも認識させることができ、表示装置の利便性がさらに向上する。
【０００９】
（４）上記形態の表示装置において、さらに；第２の情報処理装置と通信を行なう第２の通信部と；前記機能差がある場合、または、前記第２の送受信部が実行可能な機能に対応付けられたファームウェアのバージョン情報と前記第２の送受信部の前記バージョン情報との少なくとも一方が、前記第２の通信部を介した前記特定の信号方式によって送受信される最新の前記バージョン情報と異なる場合には、前記第２の送受信部の前記バージョン情報と前記第１の送受信部の前記バージョン情報との少なくとも一方を、更新する制御部と、を備えてもよい。この形態の表示装置によれば、第１の送受信部のバージョン情報と第２の送受信部のバージョン情報とが、最新のバージョン情報でなくても、最新のバージョン情報に更新されることで、表示装置が実行可能な機能が増え、表示装置の使い勝手がさらに向上する。
【００１０】
（５）上記形態の表示装置において、前記報知部は、接続された前記第１の送受信部が実行可能な機能に対応付けられたバージョン情報の更新を促す情報を報知してもよい。この形態の表示装置によれば、第１の送受信部のバージョン情報と第２の送受信部のバージョン情報とが異なる場合であっても、ユーザーの意思によってバージョン情報の更新の有無の決定が行なわれるため、表示装置の使い勝手がさらに向上する。
【００１１】
（６）上記形態の表示装置において、さらに；画像を投写表示する第１の表示部を備え；前記機能差を示す情報は、前記第１の表示部に表示される前記第２の送受信部と前記第１の送受信部との少なくとも一方が実行不可能な機能を示す画像と、前記第１の表示部に表示される前記第２の送受信部と前記第１の送受信部との両方が実行可能な機能を示す画像と、の少なくとも一方であってもよい。この形態の表示装置によれば、第１の送受信部が実行可能な機能と、第２の送受信部が実行可能な機能と、が異なる場合に、表示装置が実行可能な機能または実行不可能な機能が投写表示されるため、表示装置の利便性が向上する。
【００１２】
（７）上記形態の表示装置において、さらに；前記表示装置に形成された特定の領域に画像を表示する前記第１の表示部とは異なる第２の表示部を有し；前記機能差を示す情報は、前記第２の表示部に表示されてもよい。この形態の表示装置によれば、第２の表示部のみに機能差を示す画像を表示させることで、第１の表示部には、機能差を示す画像と異なる画像等を表示させることができ、表示装置の使い勝手がさらに向上する。
【００１３】
（８）上記形態の表示装置において、さらに；前記情報記憶部に記憶された前記第２の送受信部が実行可能な機能に基づいて、前記第２の送受信部が実行する機能を設定する制御部を備えてもよい。この形態の表示装置によれば、第１の送受信部が実行可能な機能と第２の送受信部が実行可能な機能とに合わせて、自動的に表示装置が実行する機能が設定されるため、表示装置の利便性が向上する。
【００１４】
（９）上記形態の表示装置において、さらに；前記第２の送受信部が実行する機能を設定するための設定画像を表示させる制御部を備えてもよい。この形態の表示装置によれば、ユーザーは、第１の送受信部が実行可能な機能と第２の送受信部が実行可能な機能との差に基づいて制限される表示装置の機能を視認できるため、表示装置の使い勝手がさらに向上する。
【００１５】
（１０）上記形態の表示装置において、前記情報記憶部は、前記表示装置に接続される複数の前記第１の送受信部が実行可能な機能を記憶してもよい。この形態の表示装置によれば、以前に画像表示装置に接続された第１の送受信部が画像表示装置に接続されると、以前に設定した画像表示装置が実行可能な機能を自動的に設定でき、画像表示装置の使い勝手がさらに向上する。
【００１６】
上述した本発明の各形態の有する複数の構成要素はすべてが必須のものではなく、上述の課題の一部または全部を解決するため、あるいは、本明細書に記載された効果の一部または全部を達成するために、適宜、前記複数の構成要素の一部の構成要素について、その変更、削除、新たな他の構成要素との差し替え、限定内容の一部削除を行なうことが可能である。また、上述の課題の一部または全部を解決するため、あるいは、本明細書に記載された効果の一部または全部を達成するために、上述した本発明の一形態に含まれる技術的特徴の一部または全部を上述した本発明の他の形態に含まれる技術的特徴の一部または全部と組み合わせて、本発明の独立した一形態とすることも可能である。
【００１７】
例えば、本発明の一形態は、第２の送受信部と、情報記憶部と、機能差特定部と、報知部と、の４つの要素の内の一つまたは二つ以上を備えた装置として実現可能である。すなわち、この装置は、第２の送受信部を有していてもよく、有していなくてもよい。また、装置は、情報記憶部を有していてもよく、有していなくてもよい。また、装置は、機能差特定部を有していてもよく、有していなくてもよい。また、装置は、報知部を有していてもよく、有していなくてもよい。第２の送受信部は、例えば、前記表示装置に接続され、前記表示装置と特定の信号方式によって通信する第１の送受信部を有する外部機器から、前記外部機器が実行可能な機能に関わる情報を受信してもよい。情報記憶部は、例えば、してもよい。機能差特定部は、例えば、前記第２の送受信部が実行可能な機能と、前記第１の送受信部が実行可能な機能と、の差である機能差を特定してもよい。報知部は、例えば、特定された前記機能差がある場合には、前記機能差を示す情報を報知してもよい。こうした装置は、例えば、表示装置として実現できるが、表示装置以外の他の装置としても実現可能である。このような形態によれば、装置の操作性の向上および簡易化、装置の一体化や、装置を使用する使用者の利便性の向上、等の種々の課題の少なくとも１つを解決することができる。前述した表示装置の各形態の技術的特徴の一部または全部は、いずれもこの装置に適用することが可能である。
【００１８】
本発明は、表示装置以外の種々の形態で実現することも可能である。例えば、表示装置、表示装置および表示装置の制御方法、表示システム、これらを実現するためのコンピュータープログラム、そのコンピュータープログラムを記録した記録媒体、および、そのコンピュータープログラムを含み搬送波内に具現化されたデータ信号等の形態で実現できる。
【図面の簡単な説明】
【００１９】
【図１】本実施形態における表示システムの構成を示す概略図である。
【図２】表示システムの構成を機能的に示すブロック図である。
【図３】プロジェクターの実行機能制御処理のフローチャートである。
【図４】バージョン情報更新処理のフローチャートである。
【図５】バージョン情報記憶処理のフローチャートである。
【図６】バージョン情報表示処理のフローチャートである。
【図７】実行機能設定処理のフローチャートである。
【発明を実施するための形態】
【００２０】
Ａ．実施形態：
Ａ−１．情報システムの構成：
図１は、本実施形態における表示システム１０００の構成を示す概略図である。表示システム１０００は、プロジェクター１００と、ＨＤＢａｓｅＴトランスミッター２００（単に、「Ｔｘ２００」とも呼ぶ）と、パーソナルコンピューター３００（ＰＣ３００）と、ＤＶＤプレイヤー４００と、ホストコンピューター６００と、サーバー６１０と、を備えている。表示システム１０００では、ＰＣ３００やＤＶＤプレイヤー４００から送信された画像信号や音声信号を、Ｔｘ２００を介して受信したプロジェクター１００が、画像信号に基づく画像を投写スクリーン５００へ投写表示し、音声信号に基づく音声を出力する。また、プロジェクター１００は、各種情報をホストコンピューター６００やサーバー６１０と無線通信によって送受信する。なお、表示システム１０００を構成する各部の詳細については、後述する。
【００２１】
図２は、表示システム１０００の構成を機能的に示すブロック図である。図２には、表示システム１０００と、プロジェクター１００によって画像が投写表示される投写スクリーン５００と、が示されている。ＤＶＤプレイヤー４００は、映像などが記録されたＤＶＤが挿入されるディスクドライブと、ディスクドライブに挿入されたディスクを操作する操作部と、を有している。ＤＶＤプレイヤー４００にＤＶＤが挿入され、操作部が所定の操作を受け付けると、ＤＶＤプレイヤー４００は、挿入されたＤＶＤに記録された映像の映像信号をＴｘ２００へと送信する。ＰＣ３００は、キーボードやマウスといった操作を受け付けるユーザーインターフェースを有している。ユーザーインターフェースが所定の操作を受け付けることで、ＰＣ３００は、Ｔｘ２００へと、画像信号やプロジェクター１００を制御するための制御信号等を送信する。また、ＰＣ３００は、Ｔｘ２００を介して、プロジェクター１００から送信された画像信号やデータなどを受信する。なお、ＤＶＤプレイヤー４００からＴｘ２００、および、ＰＣ３００からＴｘ２００へと制御信号を送受信する通信する規格として、ＨＤＭＩ、イーサネット（Ethernet：登録商標）、ＵＡＲＴ通信などが用いられる。
【００２２】
Ｔｘ２００は、プロジェクター１００と、カテゴリー５ケーブル（Ｃａｔ５Ｅケーブル）によって接続されている。なお、他の実施形態では、Ｔｘ２００は、プロジェクター１００と、カテゴリー６ケーブルやカテゴリー７ケーブル等の他のケーブルによって接続されていてもよい。Ｔｘ２００は、プロジェクター１００に含まれるＨＤＢａｓｅＴレシーバー１２０（単に、「Ｒｘ１２０」とも呼ぶ）に、ＰＣ３００およびＤＶＤプレイヤー４００から送信された画像信号等の各種信号を送信する。また、Ｔｘ２００は、Ｒｘ１２０を介して、プロジェクター１００から送信されるデータ等を受信する接続インターフェースである。Ｔｘ２００は、Ｔｘ２００のファームウェアのバージョンについての情報を記憶している。Ｔｘ２００のファームウェアは、接続インターフェースであるＴｘ２００を動作させるプログラムである。なお、以降では、Ｔｘ２００のファームウェアバージョンについての情報を、単に、Ｔｘ２００のバージョン情報とも呼ぶ。Ｔｘ２００は、請求項における第１の送受信部に相当し、Ｒｘ１２０は、請求項における第２の送受信部に相当する。
【００２３】
プロジェクター１００は、ＣＰＵ１１０と、Ｒｘ１２０と、処理記憶部１３０と、投写表示部１４０と、通信部１５０と、操作部１６０と、バージョン情報記憶部１７０と、を有している。処理記憶部１３０は、種々のコンピュータープログラムを格納している。処理記憶部１３０は、ＲＯＭやＲＡＭ等によって構成されている。ＣＰＵ１１０は、処理記憶部１３０に格納されたコンピュータープログラムの読込および書込を実行することで、プロジェクター１００が有している各部の制御や機能を実行する。また、ＣＰＵ１１０は、Ｒｘ１２０のバージョン情報とＴｘ２００のバージョン情報とを比較し、バージョン情報の差に基づいて制御を行なうバージョン制御部１１５を有している。Ｒｘ１２０のバージョンとＴｘ２００のバージョンとが異なると、ＣＰＵ１１０が実行できる機能が制限される場合がある。バージョン制御部１１５が実行する機能の制御については、以降の「Ａ−２．実行機能制御処理」で説明する。投写表示部１４０は、請求項における第１の表示部に相当する。
【００２４】
Ｒｘ１２０は、プロジェクター１００に接続されたＴｘ２００と、画像信号等の各種信号を送受信する。Ｒｘ１２０は、Ｔｘ２００から受信した各種信号をＣＰＵ１１０に送信する。また、Ｒｘ１２０は、ＣＰＵ１１０から送信された各種情報を受信して、Ｔｘ２００へと送信する。なお、Ｒｘ１２０とＣＰＵ１１０との間で送受信される通信規格として、ＨＤＭＩ、ＭＩＩ（Media  Independent  Interface）、ＵＡＲＴ通信、Ｉ２Ｃ（Inter-Integrated  Circuit）などが用いられる。また、その他の通信規格としては、ＲＭＩＩ（Reduced  Media  Independent  Interface）、ＧＭＩＩ（Gigabit  Media  Independent  Interface）、ＲＧＭＩＩ（Reduced  Gigabit  Media  Independent  Interface）などが用いられてもよい。
【００２５】
バージョン情報記憶部１７０は、Ｒｘ１２０の通信回路のコントロールチップのファームウェアのバージョンについての情報（Ｒｘ１２０のバージョン情報）と、以前に接続された複数のＴｘ２００の識別情報と、を記憶している。バージョン情報記憶部１７０に記憶されている、以前に接続された複数のＴｘ２００の識別情報には、Ｔｘ２００のバージョン情報が含まれている。なお、バージョン情報記憶部１７０は、請求項における情報記憶部に相当する。
【００２６】
操作部１６０は、各種操作を受け付けるための複数のボタンと、受け付けたボタンによって実行される機能等を表示する表示パネル１６５と、を有している。複数のボタンは、例えば、押下されることで選択される十字キーや決定キーなどがある。なお、他の実施形態では、液晶パネルにタッチして操作する静電式であってもよい。表示パネル１６５は、液晶パネルで構成されており、実行される機能を一覧で表示したりする。例えば、表示パネル１６５に複数のメニューが表示されている場合に、十字キーや決定キーが操作されることにより、複数のメニューの内の１つが選択される。
【００２７】
投写表示部１４０は、ＣＰＵ１１０によって処理された画像信号に基づいて、投写スクリーン５００に画像を表示する。投写表示部１４０は、照明光学系と、色光分離光学系と、光の３原色（赤（Ｒ）、緑（Ｇ）、青（Ｂ））のそれぞれに対応する光変調部としての３つの透過型の液晶パネル部と、ダイクロイックプリズムと、投写光学系と、によって構成されている。照明光学系によって射出された白色光が、色光分離光学系によって、赤、緑、青の３つの色光に分離される。分離された３つの色光は、色光分離光学系によって液晶パネル部に導かれて、画像を表す画像光へと変調される。ダイクロイックプリズムが変調された３つの画像光を合成し、投写光学系は、合成された画像光を投写スクリーン５００に投写する。なお、本実施形態では、投写表示部１４０の投写表示方式として、液晶方式を用いたが、他の実施形態では、ＤＬＰ（登録商標）方式が用いられてもよい。
【００２８】
通信部１５０は、無線ＬＡＮやブルートゥースといった所定の無線通信規格に則って、例えば、コンテンツサーバー、テレビ、パーソナルコンピューターといった他の機器との間で無線通信を行なう。また、プロジェクター１００は、通信部１５０を介して、プロジェクター１００を管理しているホストコンピューター６００や接続インターフェースとしてのファームウェアの最新のバージョン情報を記憶しているサーバー６１０と各種情報の送受信を行なっている。なお、他の実施形態では、通信部１５０は、有線によって他の機器との間で通信を行なってもよい。通信部１５０は、請求項における第１の通信部および第２の通信部に相当する。
【００２９】
Ａ−２．実行機能制御処理：
図３は、プロジェクター１００の実行機能制御処理のフローチャートである。実行機能制御処理では、ＣＰＵ１１０のバージョン制御部１１５が、プロジェクター１００に接続されたＴｘ２００のバージョン情報とＲｘ１２０のバージョン情報と、の比較結果に応じて、プロジェクター１００が実行する機能を制御する。なお、バージョン制御部１１５は、請求項における報知部および制御部に相当する。
【００３０】
実行機能制御処理では、初めに、バージョン制御部１１５が、プロジェクター１００にＴｘ２００が接続されているかを確認する（ステップＳ１０）。プロジェクター１００にＴｘ２００が接続されていないと判定された場合には（ステップＳ１２：ＮＯ）、バージョン制御部１１５は、定期的に、プロジェクター１００にＴｘ２００が接続されているかを確認する（ステップＳ１０）。
【００３１】
ステップＳ１２の処理において、プロジェクター１００にＴｘ２００が接続されていると判定された場合には（ステップＳ１２：ＹＥＳ）、バージョン制御部１１５は、Ｉ２Ｃの通信規格を用いて、Ｔｘ２００のバージョン情報を取得する（ステップＳ１６）。なお、他の実施形態では、バージョン制御部１１５は、Ｉ２Ｃ以外の通信規格（例えば、ＵＡＲＴ通信）を用いて、Ｔｘ２００のバージョン情報を取得してもよい。
【００３２】
バージョン制御部１１５は、通信部１５０を介して、サーバー６１０に接続して、Ｔｘ２００のバージョン情報とＲｘ１２０のバージョン情報との両方が最新のバージョン情報であるかを確認する（ステップＳ１８）。Ｔｘ２００のバージョン情報とＲｘ１２０のバージョン情報との少なくとも一方が、最新のバージョン情報ではないと判定された場合（ステップＳ１８：ＮＯ）や、最新のバージョン情報であるかの確認ができなかった場合には、バージョン制御部１１５は、Ｔｘ２００およびＲｘ１２０のバージョン情報を最新のバージョン情報に更新するバージョン情報更新処理を行なう（ステップＳ２０）。なお、サーバー６１０は、請求項における第２の情報処理装置に相当する。
【００３３】
図４は、バージョン情報更新処理のフローチャートである。初めに、バージョン制御部１１５は、Ｒｘ１２０のバージョン情報とＴｘ２００のバージョン情報とを更新するか否かを決定する（ステップＳ２２）。なお、本実施形態でいう「バージョン情報」とは、ファームウェアのバージョンを表す情報と、ファームウェア自体に関する情報とを含む。バージョン情報の更新の決定の一例としては、投写スクリーン５００や表示パネル１６５にバージョン情報を更新するか否かを決定させるための画像が投写表示部１４０や表示パネル１６０によって表示され、操作部１６０が受け付けた操作によって、バージョン情報を更新するか否かが決定される。ステップＳ３２の処理において、バージョン情報を更新しないと決定された場合（ステップＳ２２：ＮＯ）、バージョン制御部１１５は、バージョン情報更新処理を終了する。
【００３４】
ステップＳ３２の処理において、バージョン情報を更新すると決定された場合には（ステップＳ２２：ＹＥＳ）、バージョン制御部１１５は、通信部１５０を介して、サーバー６１０に接続して、Ｔｘ２００のバージョン情報が最新のバージョン情報であるかを確認する（ステップＳ２４）。バージョン制御部１１５は、Ｔｘ２００のバージョン情報が最新ではないと判定した場合には（ステップＳ２４：ＮＯ）、Ｔｘ２００のバージョン情報を最新のバージョン情報に更新する（ステップＳ２６）。バージョン制御部１１５は、通信部１５０を介して、最新のバージョン情報をサーバー６１０から処理記憶部１３０にダウンロードする。その後、バージョン制御部１１５は、処理記憶部１３０に格納した最新のバージョン情報を、Ｔｘ２００の新たなバージョン情報として書き込む。なお、Ｔｘ２００のバージョン情報が最新のバージョン情報でもないにもかかわらず、バージョン制御部１１５が、通信部１５０を介して、最新のバージョン情報をサーバー６１０からダウンロードできない等の場合には、バージョン情報の更新を中止する。
【００３５】
Ｔｘ２００のバージョン情報が更新される（ステップＳ２６）、または、ステップＳ３４の処理においてＴｘ２００のバージョン情報が最新のバージョン情報であると判定された場合には（ステップＳ２４：ＹＥＳ）、バージョン制御部１１５は、Ｒｘ１２０のバージョン情報が最新であるか否かを判定する（ステップＳ２８）。バージョン制御部１１５は、Ｒｘ１２０のバージョン情報が最新のバージョン情報であると判定した場合には（ステップＳ２８：ＹＥＳ）、バージョン情報更新処理を終了する。
【００３６】
ステップＳ２８の処理において、バージョン制御部１１５は、Ｒｘ１２０のバージョン情報が最新のバージョン情報でないと判定した場合には（ステップＳ２８：ＮＯ）、Ｒｘ１２０のバージョン情報を更新する（ステップＳ３０）。バージョン制御部１１５は、通信部１５０を介して、最新のバージョン情報をサーバー６１０から処理記憶部１３０にダウンロードする。その後、バージョン制御部１１５は、処理記憶部１３０に格納した最新のバージョン情報をＲｘ１２０に書き込む。なお、Ｔｘ２００のバージョン情報の更新と同様に、バージョン制御部１１５は、最新のバージョン情報をサーバー６１０からダウンロードできない場合には、バージョン情報の更新を中止する。Ｒｘ１２０のバージョン情報が更新されると（ステップＳ３０）、バージョン制御部１１５は、バージョン情報更新処理を終了する。
【００３７】
実行機能制御処理（図３）において、バージョン情報更新処理が終了する（ステップＳ２０）、または、ステップＳ１８の処理においてＴｘ２００のバージョン情報とＲｘ１２０のバージョン情報との両方が最新のバージョン情報であると判定された場合には（ステップＳ１８：ＹＥＳ）、バージョン制御部１１５は、バージョン情報記憶部１７０に記憶されたバージョン情報を上書きするバージョン情報記憶処理を行なう。
【００３８】
図５は、バージョン情報記憶処理のフローチャートである。バージョン情報記憶処理では、初めに、バージョン制御部１１５は、バージョン情報記憶部１７０に、現時点で接続されているＴｘ２００のバージョン情報がＴｘ２００と対応付けられて記憶されているか否かを判定する（ステップＳ４２）。言い換えれば、バージョン制御部１１５は、現時点で接続されているＴｘ２００と、以前に接続したことがあるか否かを判定する。バージョン制御部１１５は、プロジェクター１００に接続されているＴｘ２００のバージョン情報がバージョン情報記憶部１７０に記憶されていないと判定した場合には（ステップＳ４２：ＮＯ）、Ｔｘ２００から取得されたバージョン情報を、接続されているＴｘ２００と対応付けてバージョン情報記憶部１７０に記憶させ（ステップＳ４８）、バージョン情報記憶処理を終了する。
【００３９】
ステップＳ４２の処理において、バージョン制御部１１５は、プロジェクター１００に接続されているＴｘ２００のバージョン情報がバージョン情報記憶部１７０に記憶されていると判定した場合には（ステップＳ４２：ＹＥＳ）、バージョン情報記憶部１７０に記憶されているＴｘ２００のバージョン情報と、プロジェクター１００に接続されたＴｘ２００から取得されたバージョン情報と、が異なるか否かを判定する（ステップＳ４４）。バージョン制御部１１５は、バージョン情報記憶部１７０に記憶されたバージョン情報が取得されたバージョン情報と異なると判定した場合には（ステップＳ４４：ＹＥＳ）、バージョン情報記憶部１７０に記憶されているバージョン情報を、取得されたバージョン情報に上書きして記憶し（ステップＳ４６）、バージョン情報記憶処理を終了する。ステップＳ４４の処理において、バージョン制御部１１５は、バージョン情報記憶部１７０に記憶されたバージョン情報が取得したバージョン情報と同じであると判定した場合には（ステップＳ４４：ＹＥＳ）、バージョン情報記憶部１７０に記憶されたバージョン情報を上書きせずに、バージョン情報記憶処理を終了する。
【００４０】
実行機能制御処理（図３）において、バージョン情報記憶処理が終了すると（ステップＳ４０）、バージョン制御部１１５は、バージョン情報の更新等に基づく表示を行なうバージョン情報表示処理を行なう（ステップＳ５０）。図６は、バージョン情報表示処理のフローチャートである。バージョン情報表示処理では、初めに、バージョン制御部１１５は、Ｔｘ２００のバージョン情報とＲｘ１２０のバージョン情報とが異なるか否かを判定する（ステップＳ５２）。すなわち、バージョン制御部１１５は、Ｔｘ２００のバージョン情報とＲｘ１２０のバージョン情報との差を特定する。バージョン制御部１１５は、請求項における機能差特定部に相当する。
【００４１】
バージョン制御部１１５は、Ｒｘ１２０のバージョン情報とＴｘ２００のバージョン情報とが異なると判定した場合には（ステップＳ５２：ＹＥＳ）、Ｔｘ２００のバージョン情報とＲｘ１２０のバージョン情報との少なくとも一方を、バージョン情報更新処理において更新済みであるか否かを判定する（ステップＳ５４）。バージョン制御部１１５は、バージョン情報を更新済みであると判定した場合には（ステップＳ５４：ＹＥＳ）、Ｔｘ２００のバージョン情報とＲｘ１２０のバージョン情報とが異なることを表す画像と、Ｔｘ２００のバージョン情報とＲｘ１２０のバージョン情報とを更新したことを表す画像と、を投写表示部１４０および表示パネル１６５に表示させる（ステップＳ５６）。その後、バージョン制御部１１５は、Ｔｘ２００のバージョン情報とＲｘ１２０のバージョン情報との相違の情報を、通信部１５０を介して、プロジェクター１００を管理するホストコンピューター６００に送信し（ステップＳ６０）、バージョン情報表示処理を終了する。なお、表示パネル１６５は、請求項における第２の表示部に相当する。また、投写表示部１４０および表示パネル１６５に表示されたＴｘ２００のバージョン情報とＲｘ１２０のバージョン情報が異なることを表す画像は、請求項におけるバージョン情報の差を示す画像に相当する。ホストコンピューター６００は、請求項における第１の情報処理装置に相当する。
【００４２】
ステップＳ５４の処理において、バージョン制御部１１５は、Ｔｘ２００のバージョン情報とＲｘ１２０のバージョン情報とのいずれもバージョン情報が更新済みではないと判定した場合には（ステップＳ５４：ＮＯ）、Ｔｘ２００のバージョン情報とＲｘ１２０のバージョン情報とが異なることを表す画像を、投写表示部１４０および表示パネル１６５に表示させる（ステップ５８）。その後、バージョン制御部１１５は、Ｔｘ２００のバージョン情報とＲｘ１２０のバージョン情報との相違の情報を、通信部１５０を介して、ホストコンピューター６００に送信し（ステップＳ６０）、バージョン情報表示処理を終了する。
【００４３】
ステップＳ５２の処理において、バージョン制御部１１５は、Ｔｘ２００のバージョン情報とＲｘ１２０のバージョン情報とが同じであると判定した場合には（ステップＳ５２：ＹＥＳ）、Ｔｘ２００のバージョン情報とＲｘ１２０のバージョン情報とが同じである情報を、通信部１５０を介して、ホストコンピューター６００に送信し（ステップＳ６０）、バージョン情報表示処理を終了する。
【００４４】
実行機能制御処理（図３）において、バージョン情報表示処理が終了すると（ステップＳ５０）、バージョン制御部１１５は、Ｔｘ２００のバージョン情報とＲｘ１２０のバージョン情報との相違によって制限される機能を設定する実行機能設定処理を行なう（ステップＳ７０）。プロジェクター１００は、Ｔｘ２００のバージョン情報とＲｘ１２０のバージョン情報とによって、実行できる機能が異なる場合がある。例えば、バージョン情報更新処理（ステップＳ２０）が正常に行われず、Ｔｘ２００のバージョン情報がＲｘ１２０のバージョン情報よりも古い場合に、Ｒｘ１２０では、ＬＡＮ（Local  Area  Network）と２３２Ｃの通信規格に対応し、Ｔｘ２００では、２３２Ｃの通信規格に対応し、ＬＡＮの通信規格に対応していない場合がある。この場合には、Ｔｘ２００がＬＡＮの通信規格に対応していないため、Ｔｘ２００とＲｘ１２０との間では、Ｒｘ１２０は、２３２Ｃの通信規格にのみ対応する。
【００４５】
図７は、実行機能設定処理のフローチャートである。実行機能設定処理では、初めに、バージョン制御部１１５は、プロジェクター１００が実行する機能を自動で設定するか手動で設定するかを表示パネル１６５に表示させ、操作部１６０に対する設定の操作を受け付ける（ステップＳ７２）。機能を自動で設定しない操作を受け付けた場合には（ステップＳ７２：ＮＯ）、バージョン制御部１１５は、Ｔｘ２００のバージョン情報とＲｘ１２０のバージョン情報とに基づいて、プロジェクター１００が実行できる機能の一覧を投写表示部１４０に表示させる（ステップＳ７４）。次に、バージョン制御部１１５は、操作部１６０を介して、投写表示部１４０によって投写スクリーン５００に表示された機能の一覧から、いずれの機能を設定するかの操作を受け付ける（ステップＳ７６）。その後、バージョン制御部１１５は、操作部１６０が受け付けた操作に基づいて、プロジェクター１００が実行する機能を設定し（ステップＳ７８）、実行機能設定処理を終了する。なお、投写表示部１４０によって投写スクリーン５００に表示されるプロジェクター１００が実行できる機能の一覧は、請求項における設定画像に相当する。
【００４６】
ステップＳ７２の処理において、プロジェクター１００が実行する機能を自動で設定する操作を受け付けた場合には（ステップＳ７２：ＹＥＳ）、バージョン制御部１１５は、Ｔｘ２００のバージョン情報とＲｘ１２０のバージョン情報とに基づいて、プロジェクター１００が実行できる機能の全ての情報をバージョン情報記憶部１７０から取得し（ステップＳ８０）、プロジェクター１００が実行する機能を設定する（ステップＳ７８）。本実施形態では、プロジェクター１００が実行できる機能の全てが、プロジェクター１００が実行する機能として設定される。実行機能制御処理（図３）において、実行機能設定処理が終了すると（ステップＳ７０）、バージョン制御部１１５は、実行機能制御処理を終了する。
【００４７】
以上説明したように、本実施形態のプロジェクター１００では、バージョン制御部１１５は、プロジェクター１００に接続されたＴｘ２００のバージョン情報とＲｘ１２０のバージョン情報とが異なるか否かを判定する。バージョン制御部１１５は、Ｔｘ２００のバージョン情報とＲｘ１２０のバージョン情報とが異なると判定した場合には、Ｔｘ２００のバージョン情報とＲｘ１２０のバージョン情報とが異なることを表す画像を、表示パネル１６５に表示させる。そのため、本実施形態のプロジェクター１００では、Ｔｘ２００のバージョン情報とＲｘ１２０のバージョン情報とが異なり、プロジェクター１００が実行可能な機能が制限される場合に、機能が制限されることをユーザーに認識させることができ、プロジェクター１００の利便性が向上する。
【００４８】
また、本実施形態のプロジェクター１００では、実行機能設定処理において、バージョン制御部１１５は、Ｔｘ２００のバージョン情報とＲｘ１２０のバージョン情報とに基づいて、プロジェクター１００が実行できる機能の一覧を投写スクリーン５００に表示させる。そのため、本実施形態のプロジェクター１００では、ユーザーは、Ｔｘ２００のバージョン情報とＲｘ１２０のバージョン情報との差に基づいて制限されるプロジェクター１００の機能を認識できるため、プロジェクター１００の利便性がさらに向上する。
【００４９】
また、本実施形態のプロジェクター１００では、Ｔｘ２００のバージョン情報とＲｘ１２０のバージョン情報との相違の情報を、通信部１５０を介して、プロジェクター１００を管理するホストコンピューター６００に送信する。そのため、本実施形態のプロジェクター１００では、Ｔｘ２００のバージョン情報とＲｘ１２０のバージョン情報との相違の情報を、プロジェクター１００のユーザー以外にも認識させることができ、プロジェクター１００の利便性がさらに向上する。
【００５０】
また、本実施形態のプロジェクター１００では、通信部１５０を介して、Ｔｘ２００のバージョン情報とＲｘ１２０のバージョン情報との少なくとも一方が最新のバージョン情報でない場合には、バージョン制御部１１５は、通信部１５０を介してサーバー６１０に接続し、Ｔｘ２００のバージョン情報とＲｘ１２０のバージョン情報との少なくとも一方を最新のバージョン情報に更新する。そのため、本実施形態のプロジェクター１００では、Ｔｘ２００のバージョン情報とＲｘ１２０のバージョン情報とが、最新のバージョン情報でなくても、最新のバージョン情報に更新されることで、プロジェクター１００が実行可能な機能が増え、プロジェクター１００の使い勝手がさらに向上する。
【００５１】
また、本実施形態のプロジェクター１００では、バージョン制御部１１５が、バージョン情報を更新するか否かを決定させるための画像を、投写表示部１４０や表示パネル１６５に表示させる。そのため、本実施形態のプロジェクター１００では、Ｔｘ２００のバージョン情報とＲｘ１２０のバージョン情報とが異なる場合であっても、ユーザーの意思によってバージョン情報の更新の有無の決定が行なわれるため、プロジェクター１００の使い勝手がさらに向上する。
【００５２】
また、本実施形態のプロジェクター１００では、実行機能設定処理において、バージョン制御部１１５は、Ｔｘ２００のバージョン情報とＲｘ１２０のバージョン情報とに基づいて、プロジェクター１００が実行できる機能の全ての情報をバージョン情報記憶部１７０から取得し、プロジェクター１００が実行する機能を設定する。そのため、本実施形態のプロジェクター１００では、Ｔｘ２００のバージョン情報とＲｘ１２０のバージョン情報とに合わせて、自動的にプロジェクター１００が実行する機能が設定されるため、プロジェクター１００の利便性が向上する。
【００５３】
また、本実施形態のプロジェクター１００では、実行機能設定処理において、バージョン制御部１１５は、Ｔｘ２００のバージョン情報とＲｘ１２０のバージョン情報とに基づいて、プロジェクター１００が実行できる機能の一覧を投写表示部１４０によって投写スクリーン５００に表示させる。そのため、本実施形態のプロジェクター１００では、ユーザーは、Ｔｘ２００のバージョン情報とＲｘ１２０のバージョン情報との差に基づいて制限されるプロジェクター１００の機能を視認できるため、プロジェクター１００の使い勝手がさらに向上する。
【００５４】
また、本実施形態のプロジェクター１００では、バージョン情報記憶部１７０は、Ｒｘ１２０のバージョン情報と、以前に接続された複数のＴｘ２００のバージョン情報を含む識別情報と、を記憶している。そのため、本実施形態のプロジェクター１００では、以前に接続されたＴｘ２００がプロジェクター１００に接続されると、以前に設定したプロジェクター１００が実行可能な機能を自動的に設定でき、プロジェクター１００の使い勝手がさらに向上する。
【００５５】
Ｂ．変形例：
なお、この発明は上記実施形態に限られるものではなく、その要旨を逸脱しない範囲において種々の態様において実施することが可能であり、例えば、次のような変形も可能である。
【００５６】
Ｂ−１．変形例１：
上記実施形態では、ファームウェアのバージョンについての情報として、ＨＤＢａｓｅＴのＴｘ２００およびＲｘ１２０における接続インターフェースのプログラムのバージョンを例に挙げたが、ファームウェアのバージョン情報については、これに限られず種々変形可能である。
【００５７】
また、プロジェクター１００は、プロジェクター１００に接続される機器のファームウェアのバージョン情報を、上記実施形態のようにプロジェクター１００のファームウェアのバージョン情報を更新する処理と同様の処理によって更新してもよい。プロジェクター１００に接続される機器としては、例えば、複数の入力信号を切り換えるスイッチャーやＤＶＤ（Digital  Versatile  Disk）などが挙げられる。
【００５８】
また、プロジェクター１００は、ファームウェアとしてのプロジェクター１００のファームウェアのバージョン情報を更新してもよい。例えば、プロジェクター１００は、インターネット等によって、プロジェクター１００のメーカーのサーバー等と通信することで、プロジェクター１００のファームウェアのバージョン情報の確認や更新を行なってもよい。
【００５９】
また、上記実施形態の実行機能制御処理（図３）では、バージョン情報更新処理（ステップＳ２０）と、バージョン情報記憶処理（ステップＳ４０）と、実行機能確認処理（ステップＳ７０）と、が行われたが、必ずしもこれらの処理が行なわれる必要はなく、実行機能制御処理において行なわれる処理については、種々変形可能である。例えば、実行機能制御処理において、上述した３つの処理が行なわれずに、バージョン情報表示処理（ステップＳ５０）のみが行なわれてもよい。
【００６０】
また、上記実施形態のバージョン情報表示処理では、Ｔｘ２００のバージョン情報とＲｘ１２０のバージョン情報とが同じである場合には、バージョン制御部１１５は、バージョン情報の相違について画像を表示させなかったが、バージョン情報の相違がないことを表す画像を表示パネル１６５や投写スクリーン５００に表示させてもよい。また、バージョン制御部１１５は、通信部１５０を介して、Ｔｘ２００のバージョン情報とＲｘ１２０のバージョン情報との相違の情報をホストコンピューターに送信したが、相違の情報を送信せずに、表示パネル１６５や投写スクリーン５００に相違についての画像を表示させるだけであってもよい。また、バージョン制御部１１５は、バージョン情報の相違を表す画像を表示パネル１６５および投写スクリーン５００に表示させたが、表示パネル１６５と投写スクリーン５００との少なくとも一方に表示させてもよい。この変形例では、バージョン制御部１１５が表示パネル１６５のみにバージョン情報の相違を表す画像を表示させることで、投写スクリーン５００には、バージョン情報の相違と異なるＴｘ２００に接続されたＰＣから送信される画像等を表示させることができ、プロジェクター１００の使い勝手がさらに向上する。
【００６１】
Ｂ−２．変形例２：
また、上記実施形態のバージョン情報更新処理では、Ｔｘ２００のバージョン情報とＲｘ１２０のバージョン情報との少なくとも一方が最新のバージョン情報でない場合に、バージョン制御部１１５は、通信部１５０を介して、バージョン情報を更新したが、必ずしも、最新のバージョン情報に更新しなくてもよい。例えば、バージョン制御部１１５は、Ｔｘ２００のバージョン情報とＲｘ１２０のバージョン情報とに差がある場合に、新しい方のバージョン情報に合わせるようなバージョン情報の更新を行なってもよい。また、バージョン制御部１１５は、Ｔｘ２００のバージョン情報とＲｘ１２０のバージョン情報についての画像を表示パネル１６５や投写スクリーン５００に表示させた上で、操作部１６０を介して、ユーザーからの更新についての操作を受け付けてもよい。
【００６２】
また、上記実施形態では、プロジェクター１００のバージョン情報記憶部１７０は、以前に接続されたＴｘ２００のバージョン情報を含む識別情報を記憶していたが、必ずしも、バージョン情報記憶部１７０は、以前に接続されたＴｘ２００のバージョン情報を記憶する必要はない。バージョン制御部１１５は、プロジェクター１００がＴｘ２００に接続される度に、接続されたＴｘ２００のバージョン情報を取得してもよい。
【００６３】
また、上記実施形態の実行機能設定処理では、プロジェクター１００が実行する機能を自動で設定するか否かをユーザーに操作させたが、機能の設定の方法については、これに限られず、種々変形可能である。例えば、バージョン制御部１１５は、自動にプロジェクター１００が実行する機能を設定し、自動の設定に失敗した場合に、設定が失敗したことを表示パネル１６５に表示させた上で、手動の設定を受け付ける態様であってもよい。
【００６４】
上記実施形態では、プロジェクター１００は、通信部１５０を介して、ホストコンピューター６００やサーバー６１０と通信および制御を行なっているが、通信および制御を行なう手段については、種々変形可能である。例えば、プロジェクター１００は、Ｒｘ１２０を用いて、Ｔｘ２００を介して、通信および制御を行なってもよい。
【００６５】
上記実施形態では、表示装置として、投写表示装置であるプロジェクター１００を一例に挙げて説明したが、表示装置は、プロジェクター１００に限られず、種々変形可能である。例えば、表示装置として、デスクトップ型のＰＣ（Personal  Computer）に用いられる直視型のディスプレイであってもよいし、テレビなどであってもよい。
【００６６】
本発明は、上記実施形態や変形例に限られるものではなく、その趣旨を逸脱しない範囲において種々の構成で実現することができる。例えば、発明の概要の欄に記載した各形態中の技術的特徴に対応する実施形態、変形例中の技術的特徴は、上述の課題の一部または全部を解決するために、あるいは、上述の効果の一部または全部を達成するために、適宜、差し替えや、組み合わせを行なうことが可能である。また、その技術的特徴が本明細書中に必須なものとして説明されていなければ、適宜、削除することが可能である。
【符号の説明】
【００６７】
１００…プロジェクター（表示装置）
１１０…ＣＰＵ
１１５…バージョン制御部（報知部、制御部、機能差特定部）
１２０…Ｒｘ（第２の送受信部）
１３０…処理記憶部
１４０…投写表示部（第１の表示部）
１５０…通信部（第１の通信部、第２の通信部）
１６０…操作部
１６５…表示パネル（第２の表示部）
１７０…プロジェクターのバージョン情報記憶部（情報記憶部）
２００…Ｔｘ（第１の送受信部）
３００…ＰＣ
４００…ＤＶＤプレイヤー
５００…投写スクリーン
６００…ホストコンピューター（第１の情報処理装置）
６１０…サーバー（第２の情報処理装置）
１０００…表示システム
【図１】
2016134704.tif 000003
【図２】
2016134704.tif 000004
【図３】
2016134704.tif 000005
【図４】
2016134704.tif 000006
【図５】
2016134704.tif 000007
【図６】
2016134704.tif 000008
【図７】
2016134704.tif 000009